(57)【要約】【課題】操作性の向上を図れ、傾斜状態を良好に調整できるプロジェクタを提供する。【解決手段】プロジェクタ１は、その外装ケース２の底面部２２Ａに該プロジェクタ１の傾斜状態を変更可能とする第１調整脚部２７Ａおよび第２調整脚部２７Ｂが設けられている。これら第１調整脚部２７Ａおよび第２調整脚部２７Ｂは、底面部２２Ａに取り付けられ、ねじ軸を有する軸支部と、一端にプロジェクタ１を接地する接地部２７１２Ａ，２７１２Ｂを有し、軸支部と螺合し該軸支部に対して回転することで底面部２２Ａに対して進退自在とする第１軸状部材２７１Ａおよび第２軸状部材２７１Ｂを備える。そして、第１調整脚部２７Ａは、所定方向の回転に伴う第１軸状部材２７１Ａの進退方向が第２調整脚部２７Ｂにおける第２軸状部材２７１Ｂの進退方向と逆方向である。【選択図】  図１１
2005043597.tif 000002
【特許請求の範囲】
【請求項１】
光源から射出された光束を画像情報に応じて変調する光変調装置と、この光変調装置にて変調された光束を拡大投写する投写光学装置と、これら光変調装置および投写光学装置が内部に配置される略直方体状の筐体とを備えたプロジェクタであって、
前記筐体には、当該プロジェクタを支持する支持面に当該プロジェクタの傾斜状態を変更可能とする複数の調整脚部が設けられ、
前記調整脚部は、前記支持面に取り付けられ、ねじ軸を有する軸支部と、一端に当該プロジェクタを接地する接地部を有し、前記軸支部と螺合し該軸支部に対して回転することで前記支持面に対して進退自在とする脚部本体とを備え、
前記複数の調整脚部のうち、少なくとも１つの調整脚部は、所定方向の回転に伴う前記脚部本体の前記進退方向が他の調整脚部における前記脚部本体の前記進退方向と逆方向であることを特徴とするプロジェクタ。
【請求項２】
請求項１に記載のプロジェクタにおいて、
前記複数の調整脚部は、前記支持面の四隅角部分のうち、投写方向側の２つの角部分にそれぞれ配設され、
前記投写方向の反対側から見て右側の調整脚部は、前記軸支部および前記脚部本体が右ねじの螺合構造を有し、
前記投写方向の反対側から見て左側の調整脚部は、前記軸支部および前記脚部本体が左ねじの螺合構造を有していることを特徴とするプロジェクタ。
【請求項３】
請求項１または請求項２に記載のプロジェクタにおいて、
前記筐体の支持面には、前記軸支部を取り付けるための複数の取付孔が形成され、
前記軸支部は、前記取付孔に対して着脱可能に構成されていることを特徴とするプロジェクタ。
【請求項４】
請求項３に記載のプロジェクタにおいて、
前記軸支部は、前記ねじ軸方向に分割形成されていることを特徴とするプロジェクタ。
【請求項５】
請求項３または請求項４に記載のプロジェクタにおいて、
前記少なくとも１つの調整脚部および前記他の調整脚部の各軸支部、および前記支持面の各取付孔には、相互に係合するための係合構造がそれぞれ形成され、前記少なくとも１つの調整脚部における係合構造、および前記他の調整脚部における係合構造は、互いに異なる係合構造であることを特徴とするプロジェクタ。
【請求項６】
請求項１から請求項５のいずれかに記載のプロジェクタにおいて、
前記筐体は、前記支持面と接続する側端面が当該プロジェクタの外部側に凸となる曲面状に形成され、
前記脚部本体には、前記接地部の近傍に該脚部本体を前記軸支部に対して回転調整する回転調整つまみが設けられ、
前記回転調整つまみの一部は、前記曲面状の側端面と平面的に干渉することを特徴とするプロジェクタ。
【発明の詳細な説明】
【０００１】
【発明の属する技術分野】
本発明は、光源から射出された光束を画像情報に応じて変調する光変調装置と、この光変調装置にて変調された光束を拡大投写する投写光学装置と、これら光変調装置および投写光学装置が内部に配置される略直方体状の筐体とを備えたプロジェクタに関する。
【０００２】
【背景技術】
従来、光源から射出された光束を画像情報に応じて光変調装置で変調して光学像を形成し、投写光学装置にて光学像を拡大投写するプロジェクタが知られている（例えば、特許文献１参照）。
このプロジェクタは、スクリーン上の所定位置に光学像を拡大投写するために、机等の接地面に対する当該プロジェクタの傾斜状態を調整する調整脚部を備えている。
この調整脚部は、プロジェクタ本体に固定される挿通ねじ穴を備える軸支部、および、棒状の側面に軸支部と螺合するねじ溝が切られ、該棒状の一端に接地部を有する回転支持軸を含む可動支持部と、プロジェクタ本体上面に回転可能に取り付けられたつまみと、可動支持部およびつまみを接続し、つまみの回転力を可動支持部に伝達する回転力伝達部とを備えて構成される。
ところで、このような調整脚部は、例えば、プロジェクタ本体の四隅角部分にそれぞれ設けられる。そして、利用者がこれら複数の調整脚部の各つまみを所定方向に回転させることで、各回転支持軸が同一方向に進退し、接地面に対してプロジェクタの傾斜状態が調整される。
【０００３】
【特許文献１】
特開２００３−２１８６６号公報
【０００４】
【発明が解決しようとする課題】
しかしながら、特許文献１に記載の調整脚部では、複数の調整脚部を同時に調整してプロジェクタを所定の傾斜状態にするために、各回転支持軸を同一方向に進退させるには、各つまみを同一方向に回転させる必要がある。このため、利用者は、左右の手を異なるように動かさなければならず、このような構造では、利用者に対して各つまみの回転方向を直感的に認識させることが難しい、という問題がある。
また、プロジェクタを所定の傾斜状態にするために、各つまみを同一方向に回転させた場合には、利用者はプロジェクタに対して略同一方向にそれぞれ力を加えることとなり、プロジェクタが接地面から位置ずれを起こす可能性があり、プロジェクタの傾斜状態を良好に調整し難い、という問題がある。
【０００５】
本発明の目的は、操作性の向上を図れ、傾斜状態を良好に調整できるプロジェクタを提供することにある。
【０００６】
【課題を解決するための手段】
本発明のプロジェクタは、光源から射出された光束を画像情報に応じて変調する光変調装置と、この光変調装置にて変調された光束を拡大投写する投写光学装置と、これら光変調装置および投写光学装置が内部に配置される略直方体状の筐体とを備えたプロジェクタであって、前記筐体には、当該プロジェクタを支持する支持面に当該プロジェクタの傾斜状態を変更可能とする複数の調整脚部が設けられ、前記調整脚部は、前記支持面に取り付けられ、ねじ軸を有する軸支部と、一端に当該プロジェクタを接地する接地部を有し、前記軸支部と螺合して前記軸支部に対して回転することで前記支持面に対して進退自在とする脚部本体とを備え、前記複数の調整脚部のうち、少なくとも１つの調整脚部は、所定方向の回転に伴う前記脚部本体の前記進退方向が他の調整脚部における前記脚部本体の前記進退方向と逆方向であることを特徴とする。
ここで、調整脚部は、少なくとも２つ設けられていればよく、その設置位置は特に限定されない。
また、脚部本体を回転調整するつまみは、例えば、脚部本体自体に設ける構成を採用できる。また、例えば、つまみの回転力を脚部本体に伝達する回転力伝達部を設ければ、つまみをプロジェクタの側端面または上面に設ける構成も採用できる。
【０００７】
本発明では、複数の調整脚部のうち、少なくとも１つの調整脚部は、所定方向の回転に伴う脚部本体の進退方向が他の調整脚部における脚部本体の進退方向と逆方向である。すなわち、少なくとも１つの調整脚部における脚部本体と軸支部との螺合構造と、他の調整脚部における脚部本体と軸支部との螺合構造とが互いに逆の構造を有している。このことにより、複数の調整脚部を同時に調整してプロジェクタを所定の傾斜状態にするために、少なくとも１つの調整脚部における脚部本体と他の調整脚部における脚部本体とを同一方向に進退させるには、各脚部本体を異なる方向に回転させればよい。このため、利用者は、左右の手を同じように動かせばよく、このような構造によれば、利用者に対して各脚部本体の回転方向を直感的に認識させやすい。
また、プロジェクタを所定の傾斜状態にするために、少なくとも１つの調整脚部における脚部本体と他の調整脚部における脚部本体とを異なる方向に回転させた場合には、利用者はプロジェクタに対して異なる方向からそれぞれ力を加えることとなり、プロジェクタが接地面から位置ずれを起こすことを回避でき、プロジェクタの傾斜状態を良好に調整できる。
したがって、本発明によれば、操作性の向上を図れ、傾斜状態を良好に調整でき、本発明の目的を達成できる。
【０００８】
本発明のプロジェクタでは、前記複数の調整脚部は、前記支持面の四隅角部分のうち、投写方向側の２つの角部分にそれぞれ配設され、前記投写方向の反対側から見て右側の調整脚部は、前記軸支部および前記脚部本体が右ねじの螺合構造を有し、前記投写方向の反対側から見て左側の調整脚部は、前記軸支部および前記脚部本体が左ねじの螺合構造を有していることが好ましい。
本発明では、投写方向の反対側から見て右側の調整脚部は、右ねじの螺合構造を有し、投写方向の反対側から見て左側の調整脚部は、左ねじの螺合構造を有する。このことにより、例えば、利用者がプロジェクタの背面側から該プロジェクタの傾斜調整を実施する際には、左右の手で左側および右側の各脚部本体を押圧しつつ、左右の手を手前側に引くようにして各脚部本体を回転させることで、プロジェクタの前面側を上方に傾斜調整できる。また、左右の手で左側および右側の各脚部本体を押圧しつつ、左右の手を前方側に押すようにして各脚部本体を回転させることで、プロジェクタの前面側を下方に傾斜調整できる。したがって、このような構造では、利用者に対してプロジェクタにおける傾斜状態の調整方法を容易に認識させることができる。
【０００９】
本発明のプロジェクタでは、前記筐体の支持面には、前記軸支部を取り付けるための複数の取付孔が形成され、前記軸支部は、前記取付孔に対して着脱可能に構成されていることが好ましい。
本発明によれば、軸支部が取付孔に対して着脱可能に構成されているので、調整脚部を筐体に対して着脱可能となり、例えば、調整脚部に不具合等が生じた場合であっても、調整脚部を容易に修理または交換できる。
【００１０】
本発明のプロジェクタでは、前記軸支部は、前記ねじ軸方向に分割形成されていることが好ましい。
本発明によれば、軸支部は、ねじ軸方向に分割される２体で構成されることにより、例えば、軸支部のねじ溝がつぶれた場合等であっても、脚部本体に対して軸支部を容易に取り外し、修理または交換ができ、また、新しい軸支部を容易に脚部本体に対して取り付けることができる。
【００１１】
本発明のプロジェクタでは、前記少なくとも１つの調整脚部および前記他の調整脚部の各軸支部、および前記支持面の各取付孔には、相互に係合するための係合構造がそれぞれ形成され、前記少なくとも１つの調整脚部における係合構造、および前記他の調整脚部における係合構造は、互いに異なる係合構造であることが好ましい。
ここで、係合構造としては、例えば、突起と溝とで形成される係合構造を採用できる。この際、突起および溝は、軸支部および取付孔のどちらに設けてもよい。また、互いに異なる係合構造としては、例えば、各係合構造の形成位置または形状等が異なるものを採用できる。
本発明によれば、少なくとも１つの調整脚部における係合構造、および他の調整脚部における係合構造が互いに異なる係合構造を有しているので、所定の調整脚部を、該調整脚部に対応する所定の取付孔のみに取り付けることができ、調整脚部を対応する取付孔に適切に取り付けることができる。
【００１２】
本発明のプロジェクタでは、前記筐体は、前記支持面と接続する側端面が当該プロジェクタの外部側に凸となる曲面状に形成され、前記脚部本体には、前記接地部の近傍に該脚部本体を前記軸支部に対して回転調整する回転調整つまみが設けられ、前記回転調整つまみの一部は、前記曲面状の側端面と平面的に干渉することが好ましい。
ここで、回転調整つまみの一部が、曲面状の側端面と平面的に干渉するとは、回転調整つまみは、その一部が支持面の外周縁から平面的にはみ出すように配置されているが、筐体における支持面と対向する面側から見た場合に、曲面状の側端面により回転調整つまみが隠れることを意味する。
本発明によれば、回転調整つまみは、脚部本体における接地部の近傍に設けられ、側端面が曲面状に形成されているので、利用者がプロジェクタの傾斜調整を実施する際には、該プロジェクタの上方から左右の手を側端面に沿うように当接させ、手の指で回転調整つまみを回転させることができる。この際、左右の手の平は、曲面状の側端面に当接するので、利用者に対してプロジェクタの傾斜調整を実施させやすい形状となる。
また、筐体における支持面と対向する面側から見た場合に、曲面状の側端面により回転調整つまみが隠れるので、調整脚部をむやみに露出することなく、プロジェクタの外観を良好に維持できる。
【００１３】
【発明の実施の形態】
以下、本発明の実施形態を図面に基づいて説明する。
（１）外観構成
図１は、本実施形態に係るプロジェクタ１を上方前面側から見た斜視図である。図２は、プロジェクタ１を下方前面側から見た斜視図である。図３は、プロジェクタ１を後方背面側から見た斜視図である。図４は、プロジェクタ１の外装ケース２の一部を示す斜視図である。
プロジェクタ１は、光源から射出された光束を画像情報に応じて変調し、スクリーン等の投写面上に拡大投写する。このプロジェクタ１は、図１ないし図３に示すように、略直方体状の外装ケース２、およびこの外装ケース２から露出する投写レンズ３を備えている。
投写レンズ３は、後述する光変調装置としての液晶パネルで変調形成された光学像を拡大投写する投写光学装置としての機能を具備するものであり、レンズ保持筒内部に複数のレンズが収納された組レンズとして構成される。
【００１４】
外装ケース２は、平面略矩形形状の合成樹脂製の筐体であり、プロジェクタ１の光学ユニット（後述）を含む装置本体を収納する。この外装ケース２は、装置本体の上部部分を覆うアッパーケース２１と、装置本体の下部部分を覆うロアーケース２２と、装置本体の前面部分を覆うフロントケース２３と、装置本体の側面部分の一部を覆うサイドケース２４と、装置本体の背面部分を覆うリアケース２５（図３参照）を備えている。
なお、この外装ケース２の上面、前面、側面、底面、背面の角部分は、曲面状に形成されている。
アッパーケース２１は、装置本体の上部を覆う平面略矩形形状の上面部２１Ａと、この上面部２１Ａの長辺方向の一方の端部から略垂下する側面部２１Ｂと、上面部２１Ａの長辺方向の他方の端部の前方部分から略垂下する側面部２１Ｃと、上面部２１Ａの後端部から略垂下する背面部２１Ｄ（図３参照）とを備えている。
上面部２１Ａの後方側略中央部分には、図１または図３に示すように、プロジェクタ１の起動・調整操作を実施する操作パネル２６が左右方向に延びるように設けられている。操作パネル２６の操作ボタン２６１を適宜押下すると、操作パネル２６内部に配置される図示しない回路基板に実装されたタクトスイッチと接触し、所望の操作が可能となる。また、前記回路基板には、ここでは図示しないＬＥＤが取り付けられており、所望の操作に応じて発光するようになっている。
さらに、操作パネル２６は、操作ボタン２６１を囲むように配置される化粧板２６２を備えており、前記ＬＥＤからの光は化粧板２６２を介して拡散される。
【００１５】
また、この上面部２１Ａの前方側（図１右側）からは、投写レンズ３を上下左右に動かし、投写レンズ３の位置を調整する投写レンズ位置調整装置３０（図４参照）を構成する２つのダイアル３１１，３２１が露出している。この２つのダイアル３１１，３２１のうち、図１左側に配置されたダイアル３１１をＹ１方向（下方）に動かすと、投写レンズ３がＹ３方向（下方）に動き、ダイアル３１１をＹ２方向（上方）に動かすと、投写レンズ３がＹ４方向（上方）に動くこととなる。
また、図１右側に配置されたダイアル３２１をＸ１方向（プロジェクタ１後方からみて右方向）に動かすと、投写レンズがＸ３方向（右方向）に動き、ダイアル３２１をＸ２方向（プロジェクタ１後方から見て左方向）に動かすと、投写レンズ３がＸ４方向（左方向）に動くこととなる。
さらに、上面部２１Ａの内面側には、図示しないが、投写レンズ３の外周を囲うようなリブが立設されている。
【００１６】
側面部２１Ｃには、複数の羽根板７１１から構成されるルーバ７１が露出する切り欠き２１Ｃ１が形成されている。
また、図３に示すように、背面部２１Ｄには、リアケース２５が係合する切り欠き２１Ｄ１が形成されている。
【００１７】
ロアーケース２２は、図１〜図４に示すように、支持面としての底面部２２Ａ、側面部２２Ｂ、２２Ｃ、背面部２２Ｄ、前面部２２Ｅを備えている。
底面部２２Ａは、平面略矩形形状であり、この底面部２２Ａのプロジェクタ１の後方側略中央には、固定脚部２２Ａ１が設けられるとともに、前方側長辺方向両端に調整脚部２７が設けられている。
調整脚部２７は、底面部２２Ａから面外方向に進退自在に突出する脚部本体としての軸状部材２７１（図５参照）を備えており、プロジェクタ１の投写時におけるプロジェクタ１の上下方向および左右方向の傾斜位置を調整可能としている。
なお、この調整脚部２７の構造、および調整脚部２７の底面部２２Ａへの取付構造については、後述する。
【００１８】
また、底面部２２Ａには、外装ケース２の内部と連通する開口部２２Ａ３が形成されている。
この開口部２２Ａ３は、外装ケース２外部の冷却空気を外装ケース２内部に取り込む吸気口であり、この開口部２２Ａ３には、複数の開口が形成されたカバー２２Ａ５が取り付けられている。
さらに、この底面部２２Ａには、図４に示すように、投写レンズ３の外周を囲うようなリブ２２Ａ６が立設されている。
【００１９】
側面部２２Ｂは、底面部２２Ａの長辺方向の一方の端部から立設されたものであり、図２に示すように、アッパーケース２１の側面部２１Ｂと係合して、外装ケース２の側面を構成する。
この側面部２２Ｂには、アッパーケース２１側に窪んだ窪み部２２Ｂ１が形成されており、この窪み部２２Ｂ１はプロジェクタ１を把持する際に把持部として使用される。
図１に示すように、側面部２２Ｃは、底面部２２Ａの長辺方向の他方の端部の前方側部分から立設されたものであり、アッパーケース２１の側面部２１Ｃと係合して、外装ケース２の側面の一部を構成する。この側面部２２Ｃは、その上端が大きく切りかかれており、この切り欠き２２Ｃ１からルーバ７１が露出する。すなわち、側面部２１Ｃの切り欠き２１Ｃ１と、側面部２２Ｃの切り欠き２２Ｃ１とにより、ルーバ７１が露出する開口が形成される。この開口からは、プロジェクタ１内部を冷却した空気が排出されることとなる。
図３に示すように、背面部２２Ｄは、底面部２２Ａの短辺方向の一方の端部から立設されたものであり、この背面部２２Ｄには、リアケース２５が係合する切り欠き２２Ｄ１が形成されている。すなわち、本実施形態では、背面部２１Ｄ，２２Ｄ、リアケース２５とで、外装ケース２の背面が構成されることとなる。
この背面部２２Ｄには、矩形状の開口２２Ｄ２が形成され、この開口２２Ｄ２からは、インレットコネクタ２２Ｄ３が露出している。インレットコネクタ２２Ｄ３は、外部電源からプロジェクタ１に電力を供給する端子であり、後述する電源ユニットと電気的に接続される。
再度、図１に示すように、前面部２２Ｅは、底面部２２Ａの短辺方向の他方の端部から立設されたものである。この前面部２２Ｅは、フロントケース２３と係合し、これらにより外装ケース２の前面が構成されることとなる。
【００２０】
図１および図２に示すように、フロントケース２３は、略楕円形状であり、その長手方向端部側（図１右側）に投写レンズ３を露出させるための開口２３１が形成されている。なお、この開口２３１から露出する投写レンズ３には、ここでは図示しないが、開口２３１および投写レンズ３の外周間の隙間を塞ぐ第１の遮光部材と、投写レンズ３および投写レンズ位置調整装置３０との間の隙間を塞ぐ第２の遮光部材１２と（図４参照）が取り付けられている。
また、このフロントケース２３の略中央部分には、リモコン受光窓２３２が形成される。このリモコン受光窓２３２の内側には、図示しないリモートコントローラからの操作信号を受信する図示しないリモコン受光モジュールが配置されている。
尚、リモートコントローラには、前述した操作パネル２６に設けられる起動スイッチ、調整スイッチ等と同様のものが設けられていて、リモートコントローラを操作すると、この操作に応じた赤外線信号がリモートコントローラから出力され、赤外線信号は、リモコン受光窓２３２を介して受光部で受光され、後述する制御基板で処理される。
さらに、フロントケース２３の内面には、図４に示すように、投写レンズ３の外周を囲むようにリブ２３４が立設されており、リブ２３４、ロアーケース２２の底面部２２Ａのリブ２２Ａ６、アッパーケース２１の上面部２１Ａのリブとで投写レンズ３の周囲を囲むレンズ室が形成されることとなる。
【００２１】
サイドケース２４は、図１および図３に示すように、上面部２４Ａと、上面部２４Ａから略垂下した側面部２４Ｃとを備えている。上面部２４Ａは、アッパーケース２１の上面部２１Ａに係合して、外装ケース２の上面を構成する。
側面部２４Ｃは、アッパーケース２１の側面部２１Ｃ、ロアーケース２２の側面部２２Ｃに係合する。
【００２２】
図３に示すように、リアケース２５は、アッパーケース２１の背面部２１Ｄの切り欠き２１Ｄ１と、ロアーケース２２の背面部２２Ｄの切り欠き２２Ｄ１とで形成される開口に嵌め込まれて固定されるものである。
このリアケース２５は平面略矩形形状であり、その長手方向端部近傍には、フロントケース２３と同様のリモコン受光窓２３２が形成されている。
また、このリアケース２５には、外装ケース２内部側に窪んだ凹部２５１が形成されており、この凹部２５１から複数の接続端子２５２が露出している。
接続端子２５２は、外部の電子機器からの画像信号、音声信号等を入力するためのものであり、この接続端子２５２は、リアケース２５の内側に位置するインターフェイス基板に接続されている。
なお、このインターフェイス基板は、後述する制御基板と、電気的に接続されており、このインターフェイス基板にて処理された信号は、制御基板に出力される。
【００２３】
（２）内部構成
図５は、プロジェクタ１の内部構成を示す図である。具体的には、外装ケース２のロアーケース２２のみ残し、アッパーケース２１と、フロントケース２３と、サイドケース２４と、リアケース２５とを外した図である。
外装ケース２の内部には、プロジェクタ１の装置本体が収容されており、この装置本体は、外装ケース２の長手方向に沿って左右方向に延びる光学ユニット４と、この光学ユニット４の上方に配置される制御基板５と、電源ユニット６とを備えている。
【００２４】
（２−１）光学ユニット４の構造
図６は、光学ユニット４の光学系を模式的に示す図である。
光学ユニット４は、光源装置から射出された光束を画像情報に応じて変調して光学像を形成し、投写レンズ３を介してスクリーン上に投写画像を形成するものである。この光学ユニット４は、図６に示すように、インテグレータ照明光学系４１と、色分離光学系４２と、リレー光学系４３と、光変調装置および色合成光学装置を一体化した光学装置４４と、これら光学部品４１，４２，４３，４４を収納配置する略直方体形状のライトガイド４５（図７参照）とに機能的に大別される。
インテグレータ照明光学系４１は、光源から射出された光束を照明光軸直交面内における照度を均一にするための光学系である。このインテグレータ照明光学系４１は、光源装置４１１、第１レンズアレイ４１２、第２レンズアレイ４１３、偏光変換素子４１４、および重畳レンズ４１５を備えて構成される。
【００２５】
光源装置４１１は、放射光源としての光源ランプ４１１Ａ、リフレクタ４１１Ｂ、およびリフレクタ４１１Ｂの光束射出面を覆う防爆ガラス４１１Ｃを備える。そして、光源ランプ４１１Ａから射出された放射状の光束は、リフレクタ４１１Ｂで反射されて略平行光束とされ、外部へと射出される。本実施形態では、光源ランプ４１１Ａとして、高圧水銀ランプを採用し、リフレクタ４１１Ｂとして、放物面鏡を採用している。なお、光源ランプ４１１Ａとしては、高圧水銀ランプに限らず、例えばメタルハライドランプやハロゲンランプ等を採用してもよい。また、リフレクタ４１１Ｂとして放物面鏡を採用しているが、これに限らず、楕円面鏡からなるリフレクタの射出面に平行化凹レンズを配置した構成を採用してもよい。
【００２６】
第１レンズアレイ４１２は、照明光軸方向から見てほぼ矩形状の輪郭を有する小レンズがマトリクス状に配列された構成を具備している。各小レンズは、光源ランプ４１１Ａから射出された光束を部分光束に分割し、照明光軸方向に射出する。
第２レンズアレイ４１３は、第１レンズアレイ４１２と略同様の構成であり、小レンズがマトリクス状に配列された構成を具備する。この第２レンズアレイ４１３は、重畳レンズ４１５とともに、第１レンズアレイ４１２の各小レンズの像を光学装置４４の後述する液晶パネル４４１Ｒ，４４１Ｇ，４４１Ｂ上に結像させる機能を有する。
【００２７】
偏光変換素子４１４は、第２レンズアレイ４１３からの光を略１種類の偏光光に変換するものであり、これにより、光学装置４４での光の利用効率が高められている。
具体的に、偏光変換素子４１４によって略１種類の偏光光に変換された各部分光束は、重畳レンズ４１５によって最終的に光学装置４４の後述する液晶パネル４４１Ｒ，４４１Ｇ，４４１Ｂ上にほぼ重畳される。偏光光を変調するタイプの液晶パネル４４１Ｒ，４４１Ｇ，４４１Ｂを用いたプロジェクタでは、１種類の偏光光しか利用できないため、ランダムな偏光光を発する光源ランプ４１１Ａからの光束の略半分が利用されない。このため、偏光変換素子４１４を用いることにより、光源ランプ４１１Ａから射出された光束を略１種類の偏光光に変換し、光学装置４４における光の利用効率を高めている。なお、このような偏光変換素子４１４は、例えば、特開平８−３０４７３９号公報に紹介されている。
【００２８】
色分離光学系４２は、２枚のダイクロイックミラー４２１，４２２と、反射ミラー４２３とを備える。インテグレータ照明光学系４１から射出された複数の部分光束は、２枚のダイクロイックミラー４２１，４２２により赤（Ｒ）、緑（Ｇ）、青（Ｂ）の３色の色光に分離される。
リレー光学系４３は、入射側レンズ４３１と、一対のリレーレンズ４３３と、反射ミラー４３２，４３５とを備えている。このリレー光学系４３は、色分離光学系４２で分離された色光である青色光を光学装置４４の後述する液晶パネル４４１Ｂまで導く機能を有している。
【００２９】
この際、色分離光学系４２のダイクロイックミラー４２１では、インテグレータ照明光学系４１から射出された光束のうち、緑色光成分と青色光成分とは透過し、赤色光成分は反射する。ダイクロイックミラー４２１によって反射した赤色光は、反射ミラー４２３で反射し、フィールドレンズ４１９を通って、赤色用の液晶パネル４４１Ｒに到達する。このフィールドレンズ４１９は、第２レンズアレイ４１３から射出された各部分光束をその中心軸（主光線）に対して平行な光束に変換する。他の液晶パネル４４１Ｇ，４４１Ｂの光入射側に設けられたフィールドレンズ４１９も同様である。
【００３０】
また、ダイクロイックミラー４２１を透過した青色光と緑色光のうちで、緑色光は、ダイクロイックミラー４２２によって反射し、フィールドレンズ４１９を通って、緑色光用の液晶パネル４４１Ｇに到達する。一方、青色光は、ダイクロイックミラー４２２を透過してリレー光学系４３を通り、さらにフィールドレンズ４１９を通って、青色光用の液晶パネル４４１Ｂに到達する。
なお、青色光にリレー光学系４３が用いられているのは、青色光の光路の長さが他の色光の光路長さよりも長いため、光の発散等による光の利用効率の低下を防止するためである。すなわち、入射側レンズ４３１に入射した部分光束をそのまま、フィールドレンズ４１９に伝えるためである。なお、リレー光学系４３には、３つの色光のうちの青色光を通す構成としたが、これに限らず、例えば、赤色光を通す構成としてもよい。
【００３１】
光学装置４４は、入射された光束を画像情報に応じて変調してカラー画像を形成する。この光学装置４４は，色分離光学系４２で分離された各色光が入射される３つの入射側偏光板４４２と、この入射側偏光板４４２の後段に配置される光変調装置としての液晶パネル４４１（４４１Ｒ，４４１Ｇ，４４１Ｂ）および射出側偏光板４４４と、クロスダイクロイックプリズム４４５とを備える。
【００３２】
液晶パネル４４１Ｒ，４４１Ｇ，４４１Ｂは、例えば、ポリシリコンＴＦＴをスイッチング素子として用いたものであり、対向配置される一対の透明基板内に液晶が密封封入されている。そして、この液晶パネル４４１Ｒ，４４１Ｇ，４４１Ｂは、入射側偏光板４４２を介して入射する光束を画像情報に応じて変調して射出する。
【００３３】
入射側偏光板４４２は、色分離光学系４２で分離された各色光のうち、一定方向の偏光光のみ透過させ、その他の光束を吸収するものであり、サファイアガラス等の基板に偏光膜が貼付されたものである。
また、射出側偏光板４４４も、入射側偏光板４４２と略同様に構成され、液晶パネル４４１Ｒ，４４１Ｇ，４４１Ｂから射出された光束のうち、所定方向の偏光光のみ透過させ、その他の光束を吸収するものであり、透過させる偏光光の偏光軸は、入射側偏光板４４２における透過させる偏光光の偏光軸に対して直交するように設定されている。
【００３４】
クロスダイクロイックプリズム４４５は、射出側偏光板４４４から射出され、各色光毎に変調された光学像を合成してカラー画像を形成するものである。このクロスダイクロイックプリズム４４５には、赤色光を反射する誘電体多層膜と青色光を反射する誘電体多層膜とが、４つの直角プリズムの界面に沿って略Ｘ字状に設けられ、これらの誘電体多層膜により３つの色光が合成される。
以上説明した液晶パネル４４１Ｒ，４４１Ｇ，４４１Ｂ、射出側偏光板４４４およびクロスダイクロイックプリズム４４５は、一体的にユニット化されている。
【００３５】
図７は、ライトガイド４５の構造を示す図である。
ライトガイド４５は、射出成形等による合成樹脂製品であり、上述した光学部品４１，４２，４３，４４が収納される下ライトガイド４６と、この下ライトガイド４６の上面の開口部分を塞ぐ蓋状の上ライトガイド４７とを備える。
下ライトガイド４６は、光源装置４１１が収納される光源収納部４８と、光源装置４１１を除く他の光学部品が収納される容器状に形成された部品収納部４９とを備えている。
【００３６】
光源収納部４８は、略箱型形状であり、部品収納部４９側の端面およびこの端面に対向する端面に開口が形成されている。部品収納部４９側の端面に形成された開口は、光源装置４１１から射出された光束を透過させるためのものである。また、部品収納部４９側の端面に対向する端面に形成された開口は、光源装置４１１を光源収納部４８の側方から差し込むようにして収容するための開口である。
部品収納部４９は、上面が開口した略直方体形状であり、その一端は光源収納部４８に接続されている。また、この部品収納部４９の他端には、投写レンズ３がネジ止め固定されるヘッド部５０が取り付けられている。このヘッド部５０は、ライトガイド４５内に設定される照明光軸に対する所定位置に投写レンズ３を設置するためのものである。
部品収納部４９には、ここでは、具体的な図示は省略するが、光学部品４１２〜４１５，４１９，４２１〜４２３，４３１〜４３５を上方からスライド式に嵌め込むための複数の溝部が形成されている。また、この部品収納部４９のヘッド部５０に隣接する部分には、光学装置４４が設置される。
【００３７】
上ライトガイド４７は、下ライトガイド４６の部品収納部４９における光学装置４４の上方を除く上端開口部分を閉塞する。この上ライトガイド４７には、表裏を貫通して複数の開口部４７Ａが形成され、この開口部４７Ａから、ライトガイド４５内を冷却した空気が排出されることとなる。
【００３８】
（２−２）制御基板５の構造
図５に示すように、制御基板５は、上述したライトガイド４５の上ライトガイド４７の上方に配置される。この制御基板５は、ＣＰＵ（Ｃｅｎｔｒａｌ  Ｐｒｏｃｅｓｓｉｎｇ  Ｕｎｉｔ）等の演算処理装置が実装された回路基板として構成され、プロジェクタ１全体を制御する。この制御基板５は、前述のインターフェイス基板から出力される信号に基づいて液晶パネル４４１Ｒ，４４１Ｇ，４４１Ｂを駆動制御する。そして、液晶パネル４４１Ｒ，４４１Ｇ，４４１Ｂは、光変調を実施して光学像が形成される。また、この制御基板５は、前述の操作パネル２６の回路基板、および前述の図示しないリモコン受光モジュールから出力される操作信号を入力し、この操作信号に基づいてプロジェクタ１の構成部材に適宜、制御指令を出力する。
【００３９】
（２−３）電源ユニット６の構成
電源ユニット６は、光源装置４１１および制御基板５等に電力を供給するものであり、外装ケース２のフロントケース２３の長手方向に沿って配置されている。この電源ユニット６は、電源回路を備えた電源ブロック６１と、この電源ブロック６１の下方に配置されるランプ駆動ブロック（図示略）とを備えている。
電源ブロック６１は、インレットコネクタ２２Ｄ３に接続された電源ケーブルを通して外部から供給された電力をランプ駆動ブロックおよび制御基板５等に供給する。この電源ブロック６１は、入力される交流を低電圧の直流に変換するトランスや該トランスからの出力を所定の電圧に変換する変換回路等が片面に実装された回路基板と、この回路基板を覆うシールド部材としての筒状部材６１１とを備える。このうち、筒状部材６１１は、アルミニウムから構成され、両端が開口された略箱状に形成されている。
ランプ駆動ブロックは、前述した光源装置４１１に安定した電圧で電力を供給するための変換回路であり、電源ブロック６１から入力した商用交流電流は、このランプ駆動ブロックによって整流、変換されて、直流電流や交流矩形波電流となって光源装置４１１に供給される。
【００４０】
なお、このような電源ユニット６の側方には、排気ファン７２が設置されており、電源ユニット６を冷却した空気をルーバ７１が取り付けられた開口から排出している。また、この電源ユニット６と、ライトガイド４５の光源収納部４８との間には、ダクト７３が設置されており、光源収納部４８内の光源装置４１１を冷却した空気は、排気ファン７２により引き寄せられ、ダクト７３を通って、開口から排出される。
【００４１】
（３）プロジェクタ１の傾斜調整
（３−１）調整脚部２７の構造
次に、調整脚部２７の構造を図面に基づいて説明する。
図８は、調整脚部２７の全体構成を示す図である。具体的に、図８（Ａ）は、調整脚部２７のうち、投写方向と反対側から見て左側に配設される第１調整脚部２７Ａを示す図であり、図８（Ｂ）は、投写方向と反対側から見て右側に配設される第２調整脚部２７Ｂを示す図である。
図９は、調整脚部２７の構造を示す分解斜視図である。具体的に、図９は、第１調整脚部２７Ａの構造を示す分解斜視図である。
調整脚部２７は、図１、図２または図５に示すように、ロアーケース２２の底面部２２Ａにおける投写方向側の２つの角隅部分のうち、投写方向と反対側から見て左側に配設される第１調整脚部２７Ａ（前方から見て右側の調整脚部２７）および投写方向と反対側から見て右側に配設される第２調整脚部２７Ｂ（前方から見て左側の調整脚部２７）を備えて構成される。
【００４２】
第１調整脚部２７Ａは、図８（Ａ）または図９に示すように、ロアーケース２２の底面部２２Ａ（図２）に取り付けられ、ねじ軸を有する第１軸支部２７２Ａと、この第１軸支部２７２Ａと螺合し、底面部２２Ａ（図２）に対して進退自在に構成される第１軸状部材２７１Ａとを備える。
第１軸状部材２７１Ａは、側面にねじ溝２７１１Ａが形成された棒状部材であり、下端側に、プロジェクタ１を机等の接地面に接地するための接地部２７１２Ａと、第１軸状部材２７１Ａを回転させるための回転調整つまみ２７１３Ａとを備える。
【００４３】
ねじ溝２７１１Ａは、図９に示すように、第１軸状部材２７１Ａの上端から下端側近傍まで形成されており、第１軸支部２７２Ａに形成された後述するねじ溝と螺合する。このねじ溝２７１１Ａは、図８（Ａ）に示すように、左ねじのねじ溝であり、下端側から見て反時計回りに第１軸状部材２７１Ａを第１軸支部２７２Ａに対して回転させることで、第１軸支部２７２Ａおよび第１軸状部材２７１Ａが互いに近接し、時計回りに第１軸状部材２７１Ａを回転させることで、第１軸支部２７２Ａおよび第１軸状部材２７１Ａが互いに離間する。
【００４４】
接地部２７１２Ａは、図８（Ａ）に示すように、机等の接地面に略点接触するように、下方に向けて球状に膨出形成されている。このような形状により、プロジェクタ１を机等に接地した状態であっても、接触面積が小さいので、第１軸状部材２７１Ａを回転調整可能となる。
回転調整つまみ２７１３Ａは、図８（Ａ）または図９に示すように、外側面に複数の球状の窪み２７１４Ａを有する円板状の形状を有し、接地部２７１２Ａの上方に設けられる。この回転つまみ２７１３Ａの一部は、具体的な図示は省略するが、プロジェクタ１の下方側から見て、曲面状に形成された外装ケース２の側面および前面と平面的に干渉する。すなわち、この回転つまみ２７１３Ａの一部は、プロジェクタ１の上方側から見て、外装ケース２に隠れることとなる。
【００４５】
第１軸支部２７２Ａは、ロアーケース２２の底面部２２Ａ（図２）に取り付けられ、第１軸状部材２７１Ａを軸支するものであり、図９に示すように、軸方向に沿って分割された２体の軸支部材２７２１Ａ，２７２２Ａで構成されている。これら軸支部材２７２１Ａ，２７２２Ａは、分割される平面に対して略対称形状を有しているため、以下では、軸支部材２７２１Ａのみを説明する。なお、軸支部材２７２２Ａに関しては、図９において、軸支部材２７２１Ａと同一部材には同一符号を付して説明を省略する。
【００４６】
軸支部材２７２１Ａは、断面略コ字状に形成されている。
この軸支部材２７２１Ａにおいて、コ字状内側面には、ねじ溝２７２３Ａ（軸支部材２７２２Ａ参照）が形成されている。そして、２体の軸支部材２７２１Ａ，２７２２Ａが一体化することで、第１軸支部２７２Ａの軸に沿って、第１軸状部材２７１Ａのねじ溝２７１１Ａに対応するねじ溝が形成され、第１軸支部２７２Ａと第１軸状部材２７１Ａとが螺合可能となる。
【００４７】
また、この軸支部材２７２１Ａにおいて、コ字状基端部分の外側面には、ロアーケース２２の底面部２２Ａ（図２）に形成された後述する取付孔に第１軸支部２７２Ａを取り付けるための取付部２７２４Ａが形成されている。
この取付部２７２４Ａは、コ字状基端部分の外側面の軸方向略中央部分を固定端とし、下方側を自由端として軸支部材２７２１Ａの外側に向けて付勢する付勢部材である。また、取付部２７２４Ａの自由端側には段付部２７２５Ａが形成されている。
【００４８】
さらに、この軸支部材２７２１Ａにおいて、コ字状先端部分には、上方側の２つの外側面に、該外側面に対して略垂直に突出する突起２７２６Ａが形成されている。そして、これら突起２７２６Ａは、２体の軸支部材２７２１Ａ，２７２２Ａが一体化し、互いの突起２７２６Ａ同士が接続することで、後述する取付孔のうち、投写方向と反対側から見て左側の取付孔と係合する係合構造の一部を構成する。
【００４９】
第２調整脚部２７Ｂは、第１調整脚部２７Ａと略同様の構造を有しているため、簡略化して説明する。第２調整脚部２７Ｂは、図８（Ｂ）に示すように、第１調整脚部２７Ａの第１軸支部２７２Ａおよび第１軸状部材２７１Ａに相当する、第２軸支部２７２Ｂおよび第２軸状部材２７１Ｂを備える。
第２軸状部材２７１Ｂは、第１軸状部材２７１Ａの接地部２７１２Ａおよび回転調整つまみ２７１３Ａ（窪み２７１４Ａを含む）に相当する接地部２７１２Ｂおよび回転調整つまみ２７１３Ｂ（窪み２７１４Ｂを含む）を有し、側面にはねじ溝２７１１Ｂが形成されている。
このねじ溝２７１１Ｂは、図８（Ｂ）に示すように、右ねじのねじ溝であり、第１軸状部材２７１Ａのねじ溝２７１１Ａと逆のねじ溝となっている。
【００５０】
第２軸支部２７２Ｂは、具体的な図示は省略するが、第１軸支部２７２Ａと同様に、２体の軸支部材２７２１Ｂ，２７２２Ｂで構成され、互いに接続されることでその内側面に第２軸状部材２７１Ｂのねじ溝２７１１Ｂに対応するねじ溝が形成され、第２軸支部２７２Ｂと第２軸状部材２７１Ｂとが螺合可能となる。
また、これら軸支部材２７２１Ｂ，２７２２Ｂには、第１軸支部２７２Ａにおける軸支部材２７２１Ａ，２７２２Ａの取付部２７２４Ａ（段付部２７２５Ａを含む）に相当する取付部２７２４Ｂ（段付部２７２５Ｂを含む）が形成されている。
【００５１】
さらに、軸支部材２７２２Ｂのコ字状先端部分において、上方側の２つの外側面のうち、軸支部材２７２２Ｂのコ字状基端部分から見て左側の外側面には、図８（Ｂ）に示すように、該外側面に対して略垂直に突出する突起２７２６Ｂが形成されている。また、図示は省略するが、軸支部材２７２１Ｂのコ字状先端部分において、上方側の２つの外側面のうち、軸支部材２７２１Ｂのコ字状基端部分から見て左側の外側面には、突起２７２６Ｂと同様の突起が形成されている。そして、これら突起２７２６Ｂは、２体の軸支部材２７２１Ｂ，２７２２Ｂが一体化することで、後述する取付孔のうち、投写方向と反対側から見て右側の取付孔と係合する係合構造の一部を構成する。
【００５２】
（３−２）調整脚部２７の取付構造
次に、上述した調整脚部２７の取付構造を図面に基づいて説明する。
図１０は、ロアーケース２２の底面部２２Ａに形成された取付孔２８を示す図である。具体的に、図１０（Ａ）は、取付孔２８のうち、投写方向と反対側から見て左側に配設される第１取付孔２８Ａを後方側から見た斜視図であり、図１０（Ｂ）は、投写方向と反対側から見て右側に配設される第２取付孔２８Ｂを後方側から見た斜視図である。
ロアーケース２２の底面部２２Ａには、上述した調整脚部２７（２７Ａ，２７Ｂ）を取り付けるための取付孔２８が形成され、この取付孔２８は、第１調整脚部２７Ａおよび第２調整脚部２７Ｂに対応して、それぞれ第１取付孔２８Ａおよび第２取付孔２８Ｂで構成される。
【００５３】
第１取付孔２８Ａは、図１０（Ａ）に示すように、底面部２２Ａから略球状に膨出した膨出部分の略中央部分に位置し、外装ケース２内部側に窪む凹部であり、第１調整脚部２７Ａが取り付けられる。
この第１取付孔２８Ａにおいて、その内側面は、略四角柱状に形成され、第１調整脚部２７Ａの第１軸支部２７２Ａの外周形状に対応する形状を有している。すなわち、この内側面において、対向する２つの側面には、第１軸支部２７２Ａの取付部２７２４Ａの形状に対応する取付溝２８１Ａが形成されている。
この取付溝２８１Ａにおいて、その上方側には、該取付溝２８１Ａから対向する取付溝２８１Ａに向けて突出する段差部２８１１Ａが形成されている。
【００５４】
また、この内側面において、対向する他の２つの側面には、第１軸支部２７２Ａにおける突起２７２６Ａの形成位置および形状に対応し、この突起２７２６Ａと係合する係合溝２８２Ａが形成されている。すなわち、これら突起２７２６Ａおよび係合溝２８２Ａが本発明における係合構造を構成する。
さらに、この内側面において、底面には、第１調整脚部２７Ａの第１軸状部材２７１Ａの上端側を挿通可能とする挿通孔２８３Ａが形成されている。
【００５５】
上述した第１取付孔２８Ａに第１調整脚部２７Ａを取り付ける際には、第１取付孔２８Ａの挿通孔２８３Ａに、第１調整脚部２７Ａの第１軸状部材２７１Ａの上端側を挿通する。そして、第１取付孔２８Ａの取付溝２８１Ａおよび係合溝２８２Ａに、第１調整脚部２７Ａにおける第１軸支部２７２Ａの取付部２７２４Ａおよび突起２７２６Ａがそれぞれ係合する状態で、第１調整脚部２７Ａを第１取付孔２８Ａ側に押し付ける。押し付けた状態では、取付部２７２４Ａの自由端が、取付溝２８１Ａの段差部２８１１Ａにより第１軸支部２７２Ａの内側に引き寄せられる。さらに押し付けると、取付部２７２４Ａの段付部２７２５Ａにより自由端が取付溝２８１Ａ側に移動し、段付部２７２５Ａと段差部２８１１Ａとが噛み合い、第１調整脚部２７Ａが第１取付孔２８Ａに取り付けられる。
なお、ピンセット等により、取付部２７２４Ａの各自由端の先端部分を第１軸支部２７２Ａの内側に移動させることで、段付部２７２５Ａと段差部２８１１Ａとの噛み合いが外れる。この状態で、第１調整脚部２７Ａを第１取付孔２８Ａから引き抜くことで、第１調整脚部２７Ａを取り外すことができる。
【００５６】
第２取付孔２８Ｂは、図１０（Ｂ）に示すように、第１取付孔２８Ａと略同様の形状を有し、その内側面は第２調整脚部２７Ｂの第２軸支部２７２Ｂの外周形状に対応する形状を有し、第２調整脚部２７Ｂが取り付けられる。
この内側面において、第１取付孔２８Ａにおける内側面の略同様の位置には、取付溝２８１Ａおよび段差部２８１１Ａに相当する、取付溝２８１Ｂおよび段差部２８１１Ｂが形成されている。
【００５７】
また、この内側面において、取付溝２８１Ｂが形成される２つの側面を除く２つの側面には、第２軸支部２７２Ｂにおける突起２７２６Ｂの形成位置および形状に対応し、この突起２７２６Ｂと係合する係合溝２８２Ｂが形成されている。すなわち、これら突起２７２６Ｂおよび係合溝２８２Ｂが本発明における係合構造を構成する。上述したように、第１調整脚部２７Ａにおける係合構造と、第２調整脚部２７Ｂにおける係合構造とは、異なる構造となっており、第１調整脚部２７Ａを第２取付孔２８Ｂに、または、第２調整脚部２７Ｂを第１取付孔２８Ａに取り付けることができない構造となっている。
【００５８】
さらに、この内側面において、底面には、第１取付孔２８Ａと同様に、挿通孔２８３Ｂが形成されている。
また、この第２取付孔２８Ｂの近傍には、図１０（Ｂ）に示すように、球状に膨出し、第１取付孔２８Ａと第２取付孔２８Ｂとを識別するための識別部２８Ｂ１が形成されている。
なお、第２取付孔２８Ｂへの第２調整脚部２７Ｂの取り付け方法、および第２取付孔２８Ｂからの第２調整脚部２７Ｂの取り外し方法に関しては、上述した第１取付孔２８Ａおよび第１調整脚部２７Ａに関する方法と同様に実施でき、説明を省略する。
【００５９】
（３−３）プロジェクタ１の傾斜調整
最後に、上述した調整脚部２７によるプロジェクタ１の傾斜調整を図面に基づいて説明する。なお、以下では、プロジェクタ１の傾斜調整のうち、投写画像を上下に調整させるための傾斜調整の一例を説明する。
図１１は、プロジェクタ１の傾斜調整を説明するための図である。
プロジェクタ１を机等に接地した状態で、該プロジェクタ１を駆動し、図示しないスクリーン上に投写画像を形成する。この状態で、利用者は、プロジェクタ１の後方側からスクリーン上の投写画像を確認しながら、プロジェクタ１の傾斜調整を実施する。
【００６０】
先ず、投写画像をスクリーン上の上方に調整する際には、利用者は、左手を第１調整脚部２７Ａの回転調整つまみ２７１３Ａの外側面に接触させるとともに、右手を第２調整脚部２７Ｂの回転調整つまみ２７１３Ｂの外側面に接触させ、左右の手で各外側面を押圧しつつ、左右の手を手前側に引くようにして回転調整つまみ２７１３Ａ，２７１３Ｂを回転させる。
すなわち、回転調整つまみ２７１３Ａは、図１１に示す矢印ＣＷ１の方向に回転し、第１調整脚部２７Ａがロアーケース２２の底面部２２Ａに対して図１１に示す矢印Ｕ１の方向に移動しようとする。また、回転調整つまみ２７１３Ｂは、図１１に示す矢印ＣＣＷ１の方向に回転し、第２調整脚部２７Ｂがロアーケース２２の底面部２２Ａに対して図１１に示す矢印Ｕ１の方向に移動しようとする。そして、第１調整脚部２７Ａの接地部２７１２Ａ、および第２調整脚部２７Ｂの接地部２７１２Ｂが机等の接地面に支持されているため、結果的に第１調整脚部２７Ａおよび第２調整脚部２７Ｂに対してプロジェクタ１の前方側が図１１に示す矢印Ｕの方向に移動し、投写画像がスクリーン上の上方に調整される。
【００６１】
また、投写画像をスクリーン上の下方に調整する際には、上述の調整の逆を実施すればよく、利用者は左右の手で回転調整つまみ２７１３Ａ，２７１３Ｂの各外側面を押圧しつつ、左右の手を前方側に押すようにして回転調整つまみ２７１３Ａ，２７１３Ｂを回転させる。
すなわち、回転調整つまみ２７１３Ａは、図１１に示す矢印ＣＣＷ２の方向に回転し、第１調整脚部２７Ａがロアーケース２２の底面部２２Ａに対して図１１に示す矢印Ｄ２の方向に移動しようとする。また、回転調整つまみ２７１３Ｂは、図１１に示す矢印ＣＷ２の方向に回転し、第２調整脚部２７Ｂがロアーケース２２の底面部２２Ａに対して図１１に示す矢印Ｄ２の方向に移動しようとする。そして、プロジェクタ１の前方側が図１１に示す矢印Ｄの方向に移動し、投写画像がスクリーン上の下方に調整される。
【００６２】
（４）実施形態の効果
上述した実施形態によれば、以下の効果がある。
（４−１）プロジェクタ１は、２つの調整脚部２７を備え、第１調整脚部２７Ａにおける第１軸状部材２７１Ａと第１軸支部２７２Ａとの螺合構造と、第２調整脚部２７Ｂにおける第２軸状部材２７１Ｂと第２軸支部２７２Ｂとの螺合構造とが互いに逆の構造を有している。このことにより、各調整脚部２７を同時に調整してプロジェクタ１を所定の傾斜状態にするために、各調整脚部２７における第１軸状部材２７１Ａおよび第２軸状部材２７１Ｂを同一方向に進退させるには、これら第１軸状部材２７１Ａおよび第２軸状部材２７１Ｂを異なる方向に回転させればよい。このため、利用者は、左右の手を同じように動かせばよく、このような構造によれば、利用者に対して第１軸状部材２７１Ａおよび第２軸状部材２７１Ｂの回転方向を直感的に認識させやすい。したがって、プロジェクタ１の傾斜調整における操作性の向上を図れる。
【００６３】
（４−２）プロジェクタ１を所定の傾斜状態にするために、第１軸状部材２７１Ａおよび第２軸状部材２７１Ｂを異なる方向に回転させた場合には、利用者はプロジェクタ１に対して異なる方向からそれぞれ力を加えることとなり、プロジェクタ１が机等の接地面から位置ずれを起こすことを回避できる。したがって、プロジェクタ１の傾斜状態を良好に調整できる。
【００６４】
（４−３）第１調整脚部２７Ａは、ロアーケース２２における底面部２２Ａの四隅角部分のうち、投写方向の反対側から見て左側前方の角部分に配設され、左ねじの螺合構造を有する。また、第２調整脚部２７Ｂは、ロアーケース２２における底面部２２Ａの四隅角部分のうち、投写方向の反対側から見て右側前方の角部分に配設され、右ねじの螺合構造を有する。このことにより、利用者がプロジェクタ１の背面側からプロジェクタ１の傾斜調整を実施する際には、左右の手で左側および右側の第１軸状部材２７１Ａおよび第２軸状部材２７１Ｂをそれぞれ押圧しつつ、左右の手を手前側に引くようにして第１軸状部材２７１Ａおよび第２軸状部材２７１Ｂを回転させることで、プロジェクタ１の前面側を上方に傾斜調整できる。また、左右の手で左側および右側の第１軸状部材２７１Ａおよび第２軸状部材２７１Ｂをそれぞれ押圧しつつ、左右の手を前方側に押すようにして第１軸状部材２７１Ａおよび第２軸状部材２７１Ｂを回転させることで、プロジェクタ１の前面側を下方に傾斜調整できる。したがって、このような構造では、利用者に対してプロジェクタ１における傾斜状態の調整方法を容易に認識させることができる。
【００６５】
（４−４）第１軸支部２７２Ａおよび第２軸支部２７２Ｂは、底面部２２Ａに形成された第１取付孔２８Ａおよび第２取付孔２８Ｂに対して着脱可能に構成されているので、各調整脚部２７を外装ケース２に対して着脱可能となり、例えば、調整脚部２７に不具合等が生じた場合であっても、調整脚部２７を容易に修理または交換できる。
【００６６】
（４−５）第１軸支部２７２Ａおよび第２軸支部２７２Ｂは、ねじ軸方向に分割される２体の軸支部材２７２１Ａ，２７２２Ａおよび２７２１Ｂ，２７２２Ｂで構成されることにより、例えば、第１軸支部２７２Ａまたは第２軸支部２７２Ｂのねじ溝２７２３Ａまたは２７２３Ｂがつぶれた場合等であっても、第１軸状部材２７１Ａまたは第２軸状部材２７１Ｂに対して第１軸支部２７２Ａまたは第２軸支部２７２Ｂを容易に取り外し、修理または交換ができ、また、新しい第１軸支部２７２Ａまたは第２軸支部２７２Ｂを容易に第１軸状部材２７１Ａまたは第２軸状部材２７１Ｂに対して取り付けることができる。
【００６７】
（４−６）第１調整脚部２７Ａにおける係合構造を構成する突起２７２６Ａおよび係合溝２８２Ａと、第２調整脚部２７Ｂにおける係合構造を構成する突起２７２６Ｂおよび係合溝２８２Ｂとは、互いに異なる構造となっている。このことにより、所定の調整脚部２７（２７Ａ，２７Ｂ）を、該調整脚部２７（２７Ａ，２７Ｂ）に対応する所定の取付孔２８（２８Ａ，２８Ｂ）のみに取り付けることができ、調整脚部２７（２７Ａ，２７Ｂ）を対応する取付孔２８（２８Ａ，２８Ｂ）に確実に取り付けることができる。
【００６８】
（４−７）各調整脚部２７は、回転調整つまみ２７１３Ａ，２７１３Ｂを備え、これら回転調整つまみ２７１３Ａ，２７１３Ｂは、第１軸状部材２７１Ａおよび第２軸状部材２７１Ｂにおける接地部２７１２Ａ，２７１２Ｂの上方に設けられ、外装ケース２の側端面が曲面状に形成されているので、利用者がプロジェクタ１の傾斜調整を実施する際には、該プロジェクタ１の上方から左右の手を側端面に沿うように当接させ、手の指で回転調整つまみ２７１３Ａ，２７１３Ｂを回転させることができる。この際、左右の手の平は、曲面状の側端面に当接するので、利用者に対してプロジェクタ１の傾斜調整を実施させやすい形状となる。
【００６９】
（４−８）外装ケース２の上面側から見た場合に、曲面状の側端面により回転調整つまみ２７１３Ａ，２７１３Ｂが隠れるので、調整脚部２７をむやみに露出することなく、プロジェクタ１の外観を良好に維持できる。
【００７０】
（５）実施形態の変形
以上、本発明について好適な実施形態を挙げて説明したが、本発明は、これらの実施形態に限定されるものではなく、本発明の要旨を逸脱しない範囲において種々の改良並びに設計の変更が可能である。
前記実施形態では、調整脚部２７は、第１調整脚部２７Ａおよび第２調整脚部２７Ｂで構成されていたが、これに限らない。すなわち、調整脚部２７は、少なくとも２つ設けられていればよく、３つ以上で構成してもよい。
例えば、前記実施形態における固定脚部２２Ａ１を調整脚部に変更してもよい。
また、例えば、調整脚部２７として、第１調整脚部２７Ａおよび第２調整脚部２７Ｂの他、底面部２２Ａの四隅角部分のうち、後方側の２つの角部分にも同様の調整脚部をそれぞれ設けてもよい。このような構成では、第１調整脚部２７Ａおよび第２調整脚部２７Ｂによるプロジェクタ１の傾斜調整の他、後方側に配置された２つの調整脚部を操作することで、プロジェクタ１の傾斜調整をより精密に実施できる。
【００７１】
前記実施形態では、各調整脚部２７を構成する回転調整つまみ２７１３Ａ，２７１３Ｂは、第１軸状部材２７１Ａおよび第２軸状部材２７１Ｂにそれぞれ設けられていたが、これに限らない。例えば、回転調整つまみ２７１３Ａ，２７１３Ｂを軸状部材２７１Ａ，２７１Ｂと別体で構成し、これら回転調整つまみ２７１３Ａ，２７１３Ｂの回転力を軸状部材２７１Ａ，２７１Ｂに伝達する回転力伝達部を設ければ、回転調整つまみ２７１３Ａ，２７１３Ｂをプロジェクタ１の外装ケース２の側端面または上面に設ける構成も採用できる。
【００７２】
前記実施形態では、投写方向の反対側から見て右側の第２調整脚部２７Ｂは、右ねじの螺合構造を有し、投写方向の反対側から見て左側の第１調整脚部２７Ａは、左ねじの螺合構造を有していたがこれに限らない。逆に第２調整脚部２７Ｂを左ねじの螺合構造を有し、第１調整脚部２７Ａを右ねじの螺合構造を有するように構成してもよい。
【００７３】
前記実施形態では、第１調整脚部２７Ａにおける係合構造を突起２７２６Ａおよび係合溝２８２Ａとして構成し、第２調整脚部２７Ｂにおける係合構造を突起２７２６Ｂおよび係合溝２８２Ｂとして構成し、互いの係合構造が異なる構造を有していたが、これに限らない。すなわち、第１調整脚部２７Ａを第２取付孔２８Ｂに、または、第２調整脚部２７Ｂを第１取付孔２８Ａに取り付けることができない構造となっていればよく、その他の係合構造を採用してもよい。
【００７４】
前記実施形態では、３つの光変調装置を用いたプロジェクタの例のみを挙げたが、本発明は、１つの光変調装置のみを用いたプロジェクタ、２つの光変調装置を用いたプロジェクタ、あるいは、４つ以上の光変調装置を用いたプロジェクタにも適用可能である。
前記実施形態では、光変調装置として液晶パネルを用いていたが、マイクロミラーを用いたデバイスなど、液晶以外の光変調装置を用いてもよい。
前記実施形態では、光入射面と光射出面とが異なる透過型の光変調装置を用いていたが、光入射面と光射出面とが同一となる反射型の光変調装置を用いてもよい。
前記実施形態では、スクリーンを観察する方向から投写を行なうフロントタイプのプロジェクタの例のみを挙げたが、本発明は、スクリーンを観察する方向とは反対側から投写を行なうリアタイプのプロジェクタにも適用可能である。
【００７５】
本発明を実施するための最良の構成などは、以上の記載で開示されているが、本発明は、これに限定されるものではない。すなわち、本発明は、主に特定の実施形態に関して特に図示され、かつ、説明されているが、本発明の技術的思想および目的の範囲から逸脱することなく、以上述べた実施形態に対し、形状、材質、数量、その他の詳細な構成において、当業者が様々な変形を加えることができるものである。
したがって、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【図面の簡単な説明】
【図１】本実施形態に係るプロジェクタを上方前面側から見た斜視図。
【図２】前記実施形態におけるプロジェクタを下方前面側から見た斜視図。
【図３】前記実施形態におけるプロジェクタを後方背面側から見た斜視図。
【図４】前記実施形態におけるプロジェクタのロアーケースおよびフロントケースを上方から見た斜視図。
【図５】前記実施形態におけるプロジェクタの内部構造を示す斜視図。
【図６】前記実施形態における光学ユニットの光学系の模式図。
【図７】前記実施形態におけるライトガイドを示す斜視図。
【図８】前記実施形態における調整脚部の全体構成を示す図。
【図９】前記実施形態における調整脚部の構造を示す分解斜視図。
【図１０】前記実施形態におけるロアーケースの底面部に形成された取付孔を示す図。
【図１１】前記実施形態におけるプロジェクタの傾斜調整を説明するための図。
【符号の説明】
１・・・プロジェクタ、２・・・外装ケース（筐体）、３・・・投写レンズ（投写光学装置）、２２Ａ・・・底面部（支持面）、２７・・・調整脚部、２８・・・取付孔、２７１Ａ・・・第１軸状部材（脚部本体）、２７１Ｂ・・・第２軸状部材（脚部本体）、２７２Ａ・・・第１軸支部、２７２Ｂ・・・第２軸支部、２８２Ａ，２８２Ｂ・・・係合溝（係合構造）、４１１・・・光源装置、４４１・・・光変調装置、２７１２Ａ，２７１２Ｂ・・・接地部、２７１３Ａ，２７１３Ｂ・・・回転調整つまみ、２７２６Ａ，２７２６Ｂ・・・突起（係合構造）。
【図１】
2005043597.tif 000003
【図２】
2005043597.tif 000004
【図３】
2005043597.tif 000005
【図４】
2005043597.tif 000006
【図５】
2005043597.tif 000007
【図６】
2005043597.tif 000008
【図７】
2005043597.tif 000009
【図８】
2005043597.tif 000010
【図９】
2005043597.tif 000011
【図１０】
2005043597.tif 000012
【図１１】
2005043597.tif 000013